(57)【特許請求の範囲】
【請求項１】
照合印の画像を入力する入力手段と、
登録印の画像を格納する格納手段と、
前記照合印と前記登録印の画像を重ね合わせる重ね合わせ処理手段と、
前記照合印と前記登録印の画像の細線化を行う細線化制御手段と、
情報の表示を行う表示手段とを備え、
前記重ね合わせ処理手段で前記照合印と前記登録印の画像を重ね合わせ、前記細線化制御手段で前記重ね合わせ位置でそれぞれの画像を細線化し、該細線化した前記照合印と前記登録印の重ね合わせ画像を前記表示手段で表示することを特徴とした印鑑照合表示装置。
【請求項２】
照合印の画像を入力する入力手段と、
登録印の画像を格納する格納手段と、
前記照合印と前記登録印の画像を重ね合わせる重ね合わせ処理手段と、
画像の回転を行う回転制御手段と、
情報の表示を行う表示手段とを備え、
前記重ね合わせ処理手段で前記照合印と前記登録印の画像を重ね合わせ、前記回転制御手段で前記重ね合わせ画像の上下が逆になるように回転して前記表示手段で表示することを特徴とした印鑑照合表示装置。
【請求項３】
入力手段より入力された照合印の画像と登録されている登録印の画像とを重ね合わせる重ね合わせ処理を行い、
該重ね合わせ位置で前記照合印と前記登録印の画像をそれぞれ細線化し、
該細線化した前記照合印と前記登録印の画像を重ね合わせ表示することを特徴とした印鑑照合表示方法。
【請求項４】
入力手段より入力された照合印の画像と登録されている登録印の画像とを重ね合わせ処理し、
該重ね合わせ処理した前記照合印と前記登録印の重ね合わせ画像を上下が逆になるように回転して表示することを特徴とした印鑑照合表示方法。
【請求項５】
照合印と登録印の画像を重ね合わせる重ね合わせ処理手段と、
前記重ね合わせ位置で前記照合印と前記登録印のそれぞれの画像の細線化を行う細線化制御手段と、
前記細線化した前記照合印と前記登録印の重ね合わせ画像を表示する表示手段として、
コンピュータを機能させるためのプログラムを記録したコンピュータ読み取り可能な記録媒体。
【発明の詳細な説明】
【０００１】
【発明の属する技術分野】
本発明は、銀行等の金融機関、役所、企業等で印鑑を使用する場合において、照合印と登録印の印鑑照合を行うための印鑑照合表示装置及び方法及び記録媒体に関する。
【０００２】
【従来の技術】
従来、照合印と登録印の印鑑照合をパーソナルコンピュータ（ＰＣ）画面上で行う場合、画面上に照合印イメージと登録印イメージを表示し、かつ、その２つの印鑑イメージを重ね合わせて表示するシステムが一般的に発表されている（例えば、特開昭６２−９３７６８号公報参照）。
【０００３】
このようなシステムは、画面上に上記印鑑イメージを原画のまま、一致部分と一致しない部分の配色を変える等して表示している。図８は従来例の説明図である。図８において、左が登録印、中央が重ね合わせ表示、右が照合印である。中央の重ね合わせ表示において、照合印と登録印の印鑑イメージを原画のまま、一致部分と一致しない部分の配色を変えて表示するものであった。
【０００４】
【発明が解決しようとする課題】
前記従来のものは、次のような課題があった。
【０００５】
（１）：原画のままで重ね合わせ画像を作成すると、線分が太い場合は、印鑑を構成する線分のわずかな角度や長さ等が判別しにくい問題があった。
【０００６】
（２）：一般に、オペレータは、印鑑照合時、印鑑を構成する文字を認識し、例えば「鈴木」なら「すずき」と判断する。その結果、仮に同じ文字であれば詳細に印鑑照合をしない場合があった。
【０００７】
本発明は、このような従来の課題を解決し、印鑑照合結果の重ね合わせ画像において、印鑑の真贋の確認を容易に行えるようにすることを目的とする。
【０００８】
【課題を解決するための手段】
図１は本発明の原理説明図である。図１中、２ａは入力手段、３ａは格納手段、４ａは表示手段、１３ａは重ね合わせ処理手段、１４ａは回転制御手段、１５ａは細線化制御手段である。
【０００９】
本発明は前記従来の課題を解決するため次のように構成した。
【００１０】
（１）：照合印の画像を入力する入力手段２ａと、登録印の画像を格納する格納手段３ａと、前記照合印と前記登録印の画像を重ね合わせる重ね合わせ処理手段１３ａと、前記照合印と前記登録印の画像の細線化を行う細線化制御手段１５ａと、情報の表示を行う表示手段４ａとを備え、前記重ね合わせ処理手段１３ａで前記照合印と前記登録印の画像を重ね合わせ、前記細線化制御手段１５ａで細線化した前記照合印と前記登録印の重ね合わせ画像を前記表示手段４ａで表示する。
【００１１】
（２）：照合印の画像を入力する入力手段２ａと、登録印の画像を格納する格納手段３ａと、前記照合印と前記登録印の画像を重ね合わせる重ね合わせ処理手段１３ａと、画像の回転を行う回転制御手段１４ａと、情報の表示を行う表示手段４ａとを備え、前記重ね合わせ処理手段１３ａで前記照合印と前記登録印の画像を重ね合わせ、前記回転制御手段１４ａで前記重ね合わせ画像の上下が逆になるように回転して前記表示手段４ａで表示する。
【００１２】
（作用）
前記構成に基づく作用を説明する。
【００１３】
入力手段２ａより入力された照合印の画像と登録されている登録印の画像とを細線化制御手段１５ａで細線化し、該細線化した前記照合印と前記登録印の画像を重ね合わせ表示する。このため、線分のわずかな角度や長さ等の違いを見やすくすることができ、印鑑の真贋の確認を容易に行うことができる。
【００１４】
また、入力手段２ａより入力された照合印の画像と登録されている登録印の画像とを重ね合わせ処理手段１３ａで重ね合わせ処理し、該重ね合わせ処理した前記照合印と前記登録印の重ね合わせ画像を上下が逆になるように回転して表示手段４ａで表示する。このため、文字を認識しにくくすることで同じ文字であるとの既成概念を削除でき、印鑑照合を詳細に行うことができる。
【００１５】
【発明の実施の形態】
本発明は、重ね合わせを行う照合印と登録印のそれぞれの画像を細線化した上で重ね合わせることにより線分のわずかな違いを見やすくすることができる。また、重ね合わせ画像を１８０°近く回転（上下が逆になるように回転）させることにより、文字を認識しにくくすることにより、同じ文字であるとの既成概念を削除でき、印鑑照合を詳細に行うようにすることができるものである。
【００１６】
（１）：印鑑照合表示装置の説明
図２は印鑑照合表示装置の説明図である。図２において、印鑑照合表示装置には、制御部１、イメージリーダ２、印鑑検索装置３、表示装置４が設けてある。また、制御部１には、イメージリーダ制御部１１、印鑑検索制御部１２、重ね合わせ処理部１３、回転制御部１４、細線化制御部１５、表示制御部１６、ガイダンス制御部１７が設けてある。
【００１７】
制御部１は、印鑑照合表示処理の制御を行うものである。イメージリーダ２は、照合印のイメージを読み取る画像入力手段である。印鑑検索装置３は、ハードディスク等の格納手段に格納した登録印を検索するものであり、この登録印の登録はイメージリーダ等を使用して予め登録しておくものである。表示装置４は、ＣＲＴ、液晶等の表示手段である。
【００１８】
イメージリーダ制御部１１は、照合印のイメージ（画像）を読み取るイメージリーダの制御を行うものである。印鑑検索制御部１２は、印鑑検索装置３の印鑑の検索制御を行うものである。重ね合わせ処理部１３は、照合印と登録印の重ね合わせ制御を行うものである。回転制御部１４は、印鑑の画像の回転制御を行うものである。細線化制御部１５は、印鑑イメージの細線化処理の制御を行うものである。表示制御部１６は、表示装置４の表示制御を行うものである。ガイダンス制御部１７は、印鑑に関連する氏名、住所、口座番号表示等のガイダンス（文字の表示）の制御を行うものである。
【００１９】
（２）：印鑑の重ね合わせ手法の説明
図３は印鑑の重ね合わせ手法の説明図であり、図３（ａ）は登録印と照合印の説明、図３（ｂ）は印鑑の中心の説明、図３（ｃ）は一致率の説明、図３（ｄ）は重なり合った位置の説明である。
【００２０】
図３（ａ）において、左側に登録印、右側に照合印が示されている。この登録印と照合印の重ね合わせ（重ね合わせ処理部１３が行う）を説明する。
【００２１】
先ず、登録印と照合印を切り出し、切り出したイメージの中心が印鑑の中心となる。図３（ｂ）において、登録印と照合印のそれぞれに、外接矩形（外接する長方形）を設けて切り出し、その対角線の交点が印鑑の中心となる。
【００２２】
次に、登録印と照合印の印鑑の中心同士を合わせ、重ね合わせる。重ね合わせた画像の重なった部分の割合を算出する（一致率の算出）。図３（ｃ）において、左側に重ね合わせた画像が示されている。一致率は次の式で算出する。
【００２３】
一致率＝（一致部分のドット数／全体のドット数）×１００％
最後に、回転制御部１４により照合印のみ（登録印のみでもよい）印鑑の中心を中心として回転させて、その都度一致率を算出し、最も一致率が高い点が重なり合った位置（重ね合わせ位置）と判断する。図３（ｄ）において、登録印又は照合印の一方のみを回転制御部１４により回転させ、その都度一致率を算出し、一致率が最も高い、中央の画像が重なり合った位置となる。
【００２４】
（３）：細線化を行う場合の説明
図４は細線化を行う場合の説明図であり、図４（ａ）は登録印元イメージと照合印元イメージの説明、図４（ｂ）は細線化処理の説明、図４（ｃ）は重ね合わせ処理の説明である。
【００２５】
図４（ａ）において、左側に登録印元イメージ、右側に照合印元イメージが示されている。この登録印元イメージと照合印元イメージの細線化による重ね合わせを説明する。
【００２６】
先ず、登録印元イメージと照合印元イメージの重ね合わせ（図４（ｃ）の右図参照）を行い、その位置でそれぞれのイメージの細線化処理を行う。図４（ｂ）において、左側に細線化処理を行った後の登録印細線化イメージを示し、右側に細線化処理を行った後の照合印細線化イメージを示している。
【００２７】
ここで、画像の細線化とは、太さが不ぞろいの輪郭線を同一の太さの線（普通は１画素の幅）に整える処理で、閾値処理を行った後の２値画像で行う。即ち、太い輪郭線を外側から削っていき、１画素の太さになったところで処理を終わるものである。このような画像の細線化処理には、画素の削り方のルールによりいくつかの方法があり、その中の一つにハイドリッヒ法が知られている。
【００２８】
次に、細線化したイメージの重ね合わせを行う。図４（ｃ）において、左側に細線化したイメージの重ね合わせ画像が示されている。このようにイメージを細線化することにより、印鑑を構成する線分等のわずかな違いがわかりやすくなる。なお、右側に元イメージ（図４（ａ））の重ね合わせ画像を参考に示してある。
【００２９】
（細線化を行う場合のフローチャートによる説明）
図５は細線化を行う場合の処理フローチャートである。以下、図５の処理Ｓ１〜Ｓ４に従って説明する。
【００３０】
Ｓ１：重ね合わせ処理部１３は、印鑑検索装置３で検索した登録印イメージとイメージリーダ２から読み込んだ照合印イメージとの重ね合わせ処理（図３参照）を行い、処理Ｓ２に移る。
【００３１】
Ｓ２：細線化制御部１５は、重ね合わせた位置で登録印をハイドリッヒ法で細線化し、処理Ｓ３に移る。
【００３２】
Ｓ３：細線化制御部１５は、重ね合わせた位置で照合印をハイドリッヒ法で細線化し、処理Ｓ４に移る。
【００３３】
Ｓ４：表示制御部１６は、表示装置４で細線化した印鑑を重ね合わせ表示する。
【００３４】
なお、前記処理Ｓ２と前記処理Ｓ３の処理は、処理Ｓ３を処理Ｓ２より先に、又は同時に行うこともできる。
【００３５】
（４）：印鑑を回転する場合の説明
図６は印鑑を回転する場合の説明図であり、図６（ａ）は登録印イメージと照合印イメージの説明、図６（ｂ）は通常の表示の説明、図６（ｃ）は１８０°回転表示の説明である。
【００３６】
図６（ａ）において、左側に登録印イメージ、右側に照合印イメージがそれぞれ示されている。
【００３７】
図６（ｂ）において、左が登録印、中央が重ね合わせ表示、右が照合印である。中央の重ね合わせ表示において、照合印と登録印の印鑑イメージは原画のままであるが、一致部分と一致しない部分の配色を変えて表示を行っている。
【００３８】
図６（ｃ）において、図６（ｂ）の登録印、中央が重ね合わせ表示、照合印  のそれぞれを１８０°回転して表示している。このように印鑑を１８０°回転させることにより印鑑の文字を「文字」として認識しにくくすることにより、この例では「鈴木」という氏名であるという既成概念を無くし照合することができる。なお、印鑑の回転は、１８０°でなく、印鑑の文字を「文字」として認識しにくくする程度の回転（１８０°に近い回転）を行えばよい。
【００３９】
（回転を行う場合のフローチャートによる説明）
図７は回転を行う場合の処理フローチャートである。以下、図７の処理Ｓ１１〜Ｓ１４に従って説明する。
【００４０】
Ｓ１１：重ね合わせ処理部１３は、印鑑検索装置３で検索した登録印イメージとイメージリーダ２から読み込んだ照合印イメージとの重ね合わせ処理（図３参照）を行い、処理Ｓ１２に移る。
【００４１】
Ｓ１２：表示制御部１６は、照合印と登録印の印鑑イメージの表示と重ね合わせ表示（図６（ｂ）参照）を行い、処理Ｓ１３に移る。
【００４２】
Ｓ１３：重ね合わせ処理部１３は、１８０°回転ボタン（図示せず）が押下されたかどうか判断する。この判断で１８０°回転ボタンが押下された場合は、処理Ｓ１４に写り、押下されない場合は通常の表示（図６（ｂ）参照）を継続する。
【００４３】
Ｓ１４：回転制御部１４は、照合印、登録印、重ね合わせ画像を、それぞれ１８０°回転し、表示制御部１６で１８０°回転させたイメージを表示（図６（ｃ）参照）する。
【００４４】
このようにオペレータのキー操作等により、重ね合わせ画像を１８０°回転させることにより、既成概念を無くして印鑑の真贋の確認を容易に行うことが可能となる。
【００４５】
（５）：プログラムのインストールの説明
イメージリーダ制御部１１、印鑑検索制御部１２、重ね合わせ処理部１３、重ね合わせ処理手段１３ａ、回転制御部１４、回転制御手段１４ａ、細線化制御部１５、細線化制御手段１５ａ、表示制御部１６、ガイダンス制御部１７等は、プログラムで構成でき、主制御部（ＣＰＵ）が実行するものであり、主記憶に格納されているものである。このプログラムは、一般的な、コンピュータで処理されるものである。このコンピュータは、主制御部、主記憶、ファイル装置、表示装置、イメージリーダやキーボード等の入力手段である入力装置などのハードウェアで構成されている。
【００４６】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。そして、このファイル装置から処理に必要なプログラムステップを主記憶に読み出し、主制御部が実行するものである。
【００４７】
【発明の効果】
以上説明したように、本発明によれば次のような効果がある。
【００４８】
（１）：入力手段より入力された照合印の画像と登録されている登録印の画像とを細線化し、該細線化した前記照合印と前記登録印の画像を重ね合わせ表示するため、線分のわずかな角度や長さ等の違いを見やすくすることができ、印鑑の真贋の確認を容易に行うことができる。
【００４９】
（２）：入力手段より入力された照合印の画像と登録されている登録印の画像とを重ね合わせ処理し、該重ね合わせ処理した前記照合印と前記登録印の重ね合わせ画像を上下が逆になるように回転して表示するため、文字を認識しにくくすることで同じ文字であるとの既成概念を削除でき、印鑑照合を詳細に行うことができる。
【００５０】
（３）：照合印と登録印の画像を重ね合わせる重ね合わせ処理手段と、前記重ね合わせ位置で前記照合印と前記登録印のそれぞれの画像の細線化を行う細線化制御手段と、前記細線化した前記照合印と前記登録印の重ね合わせ画像を表示する表示手段として、コンピュータを機能させるためのプログラムを記録したコンピュータ読み取り可能な記録媒体とするため、この記録媒体のプログラムをコンピュータにインストールすることで、印鑑の真贋の確認を容易に行うことができる印鑑照合表示装置を容易に提供することができる。
【図面の簡単な説明】
【図１】本発明の原理説明図である。
【図２】実施の形態における印鑑照合表示装置の説明図である。
【図３】実施の形態における印鑑の重ね合わせ手法の説明図である。
【図４】実施の形態における細線化を行う場合の説明図である。
【図５】実施の形態における細線化を行う場合の処理フローチャートである。
【図６】実施の形態における印鑑を回転する場合の説明図である。
【図７】実施の形態における回転を行う場合の処理フローチャートである。
【図８】従来例の説明図である。
【符号の説明】
２ａ  入力手段
３ａ  格納手段
４ａ  表示手段
１３ａ  重ね合わせ処理手段
１４ａ  回転制御手段
１５ａ  細線化制御手段
【図１】
0004588852.tif 000002
【図２】
0004588852.tif 000003
【図３】
0004588852.tif 000004
【図４】
0004588852.tif 000005
【図５】
0004588852.tif 000006
【図６】
0004588852.tif 000007
【図７】
0004588852.tif 000008
【図８】
0004588852.tif 000009